(57)【要約】【課題】  医療情報識別子と文字種識別子とを関連付けたデータベースを備え、そのデータベースを参照してクライアント端末が受信可能となるように文字種をサーバが変換する構成としたので、文字化けなどが生じることなく各クライアント端末で医療情報を認識できる文字情報照会システムを提供する。【解決手段】  複数のクライアント端末２と共にネットワーク接続された文字情報管理サーバ１は、医療情報を特定する医療情報識別子と、複数の文字種識別子と、それらに対応した複数の文字種の医療情報とが記憶されたデータベース１４と、クライアント端末２から送信された医療情報識別子及び文字種識別子に基づき、データベース１４を検索することによって、前記文字種識別子に対応する文字種で表された医療情報を取得し、その医療情報を当該クライアント端末２に送信する。【選択図】      図１
2006004192.tif 000002
【特許請求の範囲】
【請求項１】
文字情報管理サーバと複数のクライアント端末とがネットワーク接続され、前記クライアント端末間で文字情報としての医療情報の送受信を行う文字情報照会システムであって、
前記文字情報管理サーバは、
前記医療情報を特定する医療情報識別子と、複数の文字種識別子と、それら複数の文字種識別子に対応した複数の文字種で表された前記医療情報とが予め記憶されたデータベースと、
クライアント端末から送信された医療情報識別子及び文字種識別子に基づいて、前記データベースを検索することによって、前記文字種識別子に対応する文字種で表された医療情報を取得する検索手段とを備え、取得した医療情報を当該クライアント端末に送信することを特徴とする文字情報照会システム。
【請求項２】
前記クライアント端末は、
前記ネットワークを介して、文字情報としての医療情報を特定する医療情報識別子を他のクライアント端末から送受信する通信手段と、
受信した医療情報に文字情報が含まれているか否かを判定する判定手段と、
受信した医療情報に文字情報が含まれていると、前記判定手段により判定された場合に、他のクライアント端末から送信された医療情報に対して、文字種を選択するための処理文字種選択手段と、
医療情報識別子と選択された文字種識別子とに基づいて前記文字情報管理サーバに医療情報の検索を要求し、その検索結果として受信した医療情報を他のクライアント端末に送信する際に、送信する医療情報の文字種を選択する送信文字種選択手段と、
を有することを特徴とする請求項１に記載の文字情報照会システム。
【請求項３】
文字情報管理サーバと複数のクライアント端末とがネットワーク接続され、前記文字情報管理サーバを介して前記クライアント端末間で文字情報としての医療情報の送受信を行う文字情報照会システムであって、
前記医療情報を特定する医療情報識別子と、複数の文字種識別子と、それら複数の文字種識別子に対応した複数の文字種で表された前記医療情報とが予め記憶されたデータベースと、
クライアント端末の識別情報及びそのクライアント端末が認識可能な文字種を組み合わせたテーブルとが前記文字情報管理サーバに設けられ、
前記文字情報管理サーバは、
一のクライアント端末から送信された医療情報識別子の送信先を特定する送信ヘッダに基づいて前記テーブルを検索することによって送信先である他のクライアント端末の識別情報及びその他のクライアント端末が認識可能な文字種識別子を特定すると共に、その文字識別子及び前記医療情報識別子に基づいて前記データベースを検索することによって、前記文字種識別子に対応する文字種で表された医療情報を取得する検索手段とを備え、取得した医療情報を前記他のクライアント端末に送信することを特徴とする文字情報照会システム。
【請求項４】
前記医療情報識別子が、医療情報としての患者を特定する患者ＩＤであることを特徴とする請求項１〜３の何れかに記載の文字情報照会システム。
【請求項５】
前記医療情報識別子が、医療情報としての検査部位を特定する部位コードであることを特徴とする請求項１〜３の何れかに記載の文字情報照会システム。
【請求項６】
クライアント端末間で文字情報としての医療情報の送受信を行うために、複数のクライアント端末と共にネットワーク接続された前記文字情報管理サーバが、
クライアント端末から送信された医療情報識別子及び文字種識別子に基づいて、
前記医療情報を特定する医療情報識別子と、複数の文字種識別子と、それら複数の文字種識別子に対応した複数の文字種で表された前記医療情報とが予め記憶されたデータベースを検索することによって、前記文字種識別子に対応する文字種で表された医療情報を取得し、その取得した医療情報を当該クライアント端末に送信することを特徴とする文字情報照会方法。
【請求項７】
クライアント端末間で文字情報としての医療情報の送受信を行うために、複数のクライアント端末と共にネットワーク接続された前記文字情報管理サーバが、
一のクライアント端末から送信された医療情報識別子の送信先を特定する送信ヘッダに基づいて、クライアント端末の識別情報及びそのクライアント端末が認識可能な文字種を組み合わせたテーブルを検索することによって送信先である他のクライアント端末の識別情報及びその他のクライアント端末が認識可能な文字種識別子を特定すると共に、その文字識別子及び前記医療情報識別子に基づいて、前記医療情報を特定する医療情報識別子と、複数の文字種識別子と、それら複数の文字種識別子に対応した複数の文字種で表された前記医療情報とが予め記憶されたデータベースを検索することによって、前記文字種識別子に対応する文字種で表された医療情報を取得し、取得した医療情報を前記他のクライアント端末に送信することを特徴とする文字情報照会方法。
【発明の詳細な説明】
【技術分野】
【０００１】
本発明は、医療施設等における各種医療情報を含んだ文字データを扱うシステムに関するもので、特に、ネットワーク上の複数の装置間で複数種類の文字データのやり取りを行う文字情報照会システム及び文字情報照会方法に関するものである。
【背景技術】
【０００２】
医療施設内のＩＴ化及び使用される機器のシステム化にともない、各種医療情報をネットワーク上の複数（特にマルチベンダ）の装置（モダリティ）間で交換し、かつ各々の装置上で必要な処理が正しく行われることが求められている。
【０００３】
前記装置において処理される情報には多くの文字データが含まれているが、それら文字データには、ＡＳＣＩＩ文字、半角カナ、漢字、ひらがな、カタカナなど複数の文字種が使用され得る。
【０００４】
文字の符号化には複数のコード体系が存在し、ＨＬ７（Ｈｅａｌｔｈ  Ｌｅｖｅｌ  Ｓｅｖｅｎ）やＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）等の医療情報の標準規格においても、複数の文字種（文字コード）の使用が認められており、ネットワーク上の複数の装置間でこれらのデータを通信する仕組みが定義されている。
【０００５】
また、ＩＨＥ（Ｉｎｔｅｇｒａｔｉｎｇ  ｔｈｅ  Ｈｅａｌｔｈｃａｒｅ  Ｅｎｔｅｒｐｒｉｓｅ）では、ＨＩＳ（病院情報システム）、ＲＩＳ（放射線部門情報システム）、モダリティ、ＰＡＣＳといった役割の異なる各種装置間でも、医療情報をシームレスに伝達し合うことが提唱されており、ＩＨＥ  Ｔｅｃｈｎｉｃａｌ  Ｆｒａｍｅｗｏｒｋ（Ｒｅｖｉｓｉｏｎ  ５．５）には、前記ＨＬ７及びＤＩＣＯＭでの定義に基づいて各種文字情報が扱われることが明記されている。
【０００６】
以上のような定義によって、各種文字コードを含むデータをネットワーク上で通信することは可能とされていながらも、現状では、医療施設内で使用されている各種装置が扱える文字種（文字コード）が制限されている。
【０００７】
従って、所定の文字コードを含む医療情報について、一の装置では当該文字コードを認識するが、他の装置では当該文字コードを認識しないといった問題が生じてくる。このような場合、前記一の装置から送信された当該医療情報を前記他の装置が受信すると、前記他の装置において正しい処理が行われないという問題がある。具体的には、前記他の装置において、必要な情報を認識できなかったり、表示できなかったり、その他の装置に対して適正に当該医療情報を伝達できないといった重大な問題が発生する。
【０００８】
例えば、ＡＳＣＩＩ文字等のシングルバイト文字しかサポートしていない一の装置が、漢字等のマルチバイト文字を含むデータを受信した場合、必要な情報が正しく表示されず（いわゆる文字化け）、検査の実施や結果参照等の医療行為に支障をきたすばかりか、誤認により重大な医療ミスを引き起こす恐れもある。
【０００９】
また、ユーザが、前記一の装置を用いて「好み」の文字種で医療情報を参照したくても、その文字種について当該装置が対応していなければ、表示することは不可能であった。
【００１０】
例えば、ユーザが患者名を漢字で参照したい場合であっても、受信した医療情報としての患者名がＡＳＣＩＩ文字のみの場合には、装置上で表示される患者名はＡＳＣＩＩ文字表記のみとなる。
【００１１】
このような問題を解決するために、端末間において文字情報（文字種）を変換することができる医療画像検索システムが開示されている（例えば、特許文献１）。
【００１２】
【特許文献１】特開２０００−２８５１２９号公報（段落〔００１５〕−〔００３２〕、第２図）
【発明の開示】
【発明が解決しようとする課題】
【００１３】
しかしながら、特許文献１に記載のシステムでは、検索要求元及び画像データベース（アーカイブ装置）が使用する各文字種に適応するように、画像プロキシ装置が文字種の変換を行っている。また、文字情報の変換方法について具体的に記載されていないが、カナ文字とローマ字の変換にはいくつかの方式があり、例えば、「シ」を「ＳＨＩ」と表記する場合や、「ＳＩ」と表記する場合といったように、変換される文字が異なるという問題がある。
【００１４】
本発明は、以上の問題点に鑑みてなされたものであって、その目的は、各装置が扱える文字種の制限により、受信した医療情報が正しく処理できない、もしくは、ユーザの好みの文字種で表示されないといった問題を、文字種毎に対応するデータベースを複数設けることなく解決することによってコスト低減を実現する文字情報照会システム及び文字情報照会方法を提供することにある。
【課題を解決するための手段】
【００１５】
上記課題を解決するための、請求項１記載の発明に係る文字情報照会システムは、文字情報管理サーバと複数のクライアント端末とがネットワーク接続され、前記クライアント端末間で文字情報としての医療情報の送受信を行う文字情報照会システムであって、前記文字情報管理サーバは、前記医療情報を特定する医療情報識別子と、複数の文字種識別子と、それら複数の文字種識別子に対応した複数の文字種で表された前記医療情報とが予め記憶されたデータベースと、クライアント端末から送信された医療情報識別子及び文字種識別子に基づいて、前記データベースを検索することによって、前記文字種識別子に対応する文字種で表された医療情報を取得する検索手段とを備え、取得した医療情報を当該クライアント端末に送信することを特徴とする。
【００１６】
上記課題を解決するための、請求項２記載の発明に係る文字情報照会システムは、請求項１に記載の文字情報照会システムにおいて、前記クライアント端末は、前記ネットワークを介して、文字情報としての医療情報を特定する医療情報識別子を他のクライアント端末から送受信する通信手段と、受信した医療情報に文字情報が含まれているか否かを判定する判定手段と、受信した医療情報に文字情報が含まれていると、前記判定手段により判定された場合に、他のクライアント端末から送信された医療情報に対して、文字種を選択するための処理文字種選択手段と、医療情報識別子と選択された文字種識別子とに基づいて前記文字情報管理サーバに医療情報の検索を要求し、その検索結果として受信した医療情報を他のクライアント端末に送信する際に、送信する医療情報の文字種を選択する送信文字種選択手段とを有することを特徴とする。
【００１７】
上記課題を解決するための、請求項３記載の発明に係る文字情報照会システムは、文字情報管理サーバと複数のクライアント端末とがネットワーク接続され、前記文字情報管理サーバを介して前記クライアント端末間で文字情報としての医療情報の送受信を行う文字情報照会システムであって、前記医療情報を特定する医療情報識別子と、複数の文字種識別子と、それら複数の文字種識別子に対応した複数の文字種で表された前記医療情報とが予め記憶されたデータベースと、クライアント端末の識別情報及びそのクライアント端末が認識可能な文字種を組み合わせたテーブルとが前記文字情報管理サーバに設けられ、前記文字情報管理サーバは、一のクライアント端末から送信された医療情報識別子の送信先を特定する送信ヘッダに基づいて前記テーブルを検索することによって送信先である他のクライアント端末の識別情報及びその他のクライアント端末が認識可能な文字種識別子を特定すると共に、その文字識別子及び前記医療情報識別子に基づいて前記データベースを検索することによって、前記文字種識別子に対応する文字種で表された医療情報を取得する検索手段とを備え、取得した医療情報を前記他のクライアント端末に送信することを特徴とする。
【００１８】
上記課題を解決するための、請求項４記載の発明に係る文字情報照会システムは、請求項１〜３の何れかに記載の文字情報照会システムにおいて、前記医療情報識別子が、医療情報としての患者を特定する患者ＩＤであることを特徴とする。
【００１９】
上記課題を解決するための、請求項５記載の発明に係る文字情報照会システムは、請求項１〜３の何れかに記載の文字情報照会システムにおいて、前記医療情報識別子が、医療情報としての検査部位を特定する部位コードであることを特徴とする。
【００２０】
上記課題を解決するための、請求項６記載の発明に係る文字情報照会方法は、クライアント端末間で文字情報としての医療情報の送受信を行うために、複数のクライアント端末と共にネットワーク接続された前記文字情報管理サーバが、クライアント端末から送信された医療情報識別子及び文字種識別子に基づいて、前記医療情報を特定する医療情報識別子と、複数の文字種識別子と、それら複数の文字種識別子に対応した複数の文字種で表された前記医療情報とが予め記憶されたデータベースを検索することによって、前記文字種識別子に対応する文字種で表された医療情報を取得し、その取得した医療情報を当該クライアント端末に送信することを特徴とする。
【００２１】
上記課題を解決するための、請求項７記載の発明に係る文字情報照会方法は、クライアント端末間で文字情報としての医療情報の送受信を行うために、複数のクライアント端末と共にネットワーク接続された前記文字情報管理サーバが、一のクライアント端末から送信された医療情報識別子の送信先を特定する送信ヘッダに基づいて、クライアント端末の識別情報及びそのクライアント端末が認識可能な文字種を組み合わせたテーブルを検索することによって送信先である他のクライアント端末の識別情報及びその他のクライアント端末が認識可能な文字種識別子を特定すると共に、その文字識別子及び前記医療情報識別子に基づいて、前記医療情報を特定する医療情報識別子と、複数の文字種識別子と、それら複数の文字種識別子に対応した複数の文字種で表された前記医療情報とが予め記憶されたデータベースを検索することによって、前記文字種識別子に対応する文字種で表された医療情報を取得し、取得した医療情報を前記他のクライアント端末に送信することを特徴とする。
【発明の効果】
【００２２】
本発明によれば、医療情報識別子と文字種識別子とを関連付けたデータベースを備え、そのデータベースを参照してクライアント端末が受信可能となるように文字種をサーバが変換する構成としたので、文字種毎に対応するデータベースを複数設けることなく、低コストで正確に処理することが可能となる。また、各装置のユーザが好みの文字種で情報を参照することが可能となる。結果として、ユーザのストレス軽減や医療ミスの低減などへの効果も期待できる。
【発明を実施するための最良の形態】
【００２３】
以下、本発明の実施形態につき、図面を参照して説明する。
【００２４】
（第１の実施形態）
図１は、本発明に係る文字情報照会システムの第１の実施形態における文字情報管理サーバとクライアント端末との構成を示すブロック図である。また、図２は、本発明に係る文字情報照会方法の第１の実施形態における動作を示すフローチャートである。
【００２５】
図１に示すように、本発明に係る医療文字情報照会システムは、医療施設内の情報ネットワーク上に構築され、文字情報管理サーバ１（以下、サーバ１と称する）と、文字情報照会クライアント端末２（以下、クライアント端末２と称する）から構成される。
【００２６】
サーバ１は、ネットワーク５に対して各種情報を送受信する通信手段１１と、データ検索手段１２と、データ管理手段１３と、データベース１４と、データ入力手段１５とを有し、データ検索手段１２及びデータ管理手段１３がＣＰＵ２０を構成する。
【００２７】
また、クライアント２は、ネットワーク５に対して各種情報を送受信する通信手段２１と、処理文字種選択手段２２と、データ処理手段２３と、送信文字種選択手段２４と、判定手段２５とを有し、処理文字種選択手段２２、データ処理手段２３、送信文字種選択手段２４及び判定手段２５がＣＰＵ２０を構成する。
【００２８】
サーバ１は、単独の機器として設置することも可能であるが、病院情報システム（ＨＩＳ）や各部門情報システム（ＲＩＳ等）の機能を持つ機器にバンドルされてもよい。
【００２９】
クライアント端末２は、ＣＴや、ＭＲＩなどのモダリティ装置、画像参照用ワークステーション、レポート作成システム、画像管理サーバ、ＨＩＳやＲＩＳ等の情報システム等、医療情報を扱うあらゆる機器内に設置することが可能である。
【００３０】
以下、本発明に係る医療文字情報照会方法の動作について図２を参照して説明する。図２に示すように、本発明に係る医療文字情報照会方法は、各種医用機器が扱うあらゆる文字データを有する医療情報に対して適用可能であるが、本実施形態の説明では、医療情報として「患者名」を例にとって説明する。
【００３１】
（準備過程）
まず、サーバ１のデータ入力手段１５により、患者名が複数の文字種で入力され、データ管理手段１３によって管理されるデータベース１４に登録される（Ｓ１）。具体的には、患者を特定する患者ＩＤ（本請求項にいう医療情報識別子）に対して複数の文字種で患者名（本請求項にいう医療情報）が入力されることとなり、文字種の異なる患者名毎に文字種ＩＤ（本請求項にいう文字種識別子）が割り当てられている。
【００３２】
本実施形態では、データ入力手段１５を用いて、「Ｙａｍａｄａ＾Ｔａｒｏ（ＡＳＣＩＩ文字）」、「ヤマダ＾タロウ（半角カナ）」、「やまだ＾たろう（ひらがな）」、「ヤマダ＾タロウ（カタカナ）」及び「山田＾太郎（漢字）」がデータベース１４に登録されるものとする。
【００３３】
ここで、キャラット文字（＾）は「姓」と「名」の区切りを表すものとする。また、患者を一意に識別するための医療情報識別子として「患者ＩＤ」も併せて登録する。本実施形態では、上記患者に対して患者ＩＤ「１９９９１２１０」が登録されるものとする。
【００３４】
また、前記データベース１４に登録される各文字種に応じて、文字種識別子も登録される。例えば、「ＩＳＯ＿ＩＲ＿６（ＡＳＣＩＩ）」、「ＩＳＯ＿ＩＲ＿１３（半角カナ）」、「ＩＳＯ＿２０２２＿ＩＲ＿８７＿Ｈ（ひらがな）」、「ＩＳＯ＿２０２２＿ＩＲ＿８７＿Ｋ（カタカナ）」及び「ＩＳＯ＿２０２２＿ＩＲ＿８７＿ＫＮ（漢字）」というように、各文字種に対して文字種識別子が割り当てられる。
【００３５】
次に、クライアント端末２ａの通信手段２１がネットワーク５を経由するか又はオフラインで医療情報を受信する（Ｓ２）。
【００３６】
次に、受信した医療情報に文字情報（本実施形態では患者名）が含まれているか否かをクライアント２ａの判定手段２５が判定し、この判定手段２５により当該医療情報に文字情報（本実施形態では患者名）が含まれていた場合には、処理文字種選択手段２２によって文字種が選択される（Ｓ３）。
【００３７】
選択する文字種は設定により医療情報の項目毎に予め決めておいても良いし、処理可能な文字種の中から任意の文字種をユーザに選択させるようにしてもよい。
【００３８】
本実施形態では、受信した医療情報「ヤマダ＾タロウ（半角カナ）」に対し、文字種として「ＡＳＣＩＩ文字」が選択されたものとする。
【００３９】
ここで、受信した医療情報（半角カナのみ）にＡＳＣＩＩ文字が含まれていないことから、通信手段２１は、必要なキーワード（本実施形態では、患者を一意に識別する医療情報識別子としての患者ＩＤ「１９９９１２１０」）と、文字種を表す識別子（本実施形態では、ＡＳＣＩＩ文字を識別する文字種ＩＤ「ＩＳＯ＿ＩＲ＿６」）を検索条件として、サーバ１に医療情報の検索要求を送信する（Ｓ４）。
【００４０】
クライアント端末２ａから送られた検索要求は、サーバ１の通信手段１１によって受信され（Ｓ５）、当該要求に含まれた検索条件（本実施形態では患者ＩＤ「１９９９１２１０」及び文字種ＩＤ「ＩＳＯ＿ＩＲ＿６」）がデータ検索手段１２へ伝えられる。
【００４１】
データ検索手段１２は、与えられた検索条件を元にデータ管理手段１３によって管理されるデータベース１４を検索する（Ｓ６）。本実施形態では、患者名データ「Ｙａｍａｄａ＾Ｔａｒｏ（ＡＳＣＩＩ文字）」が検索結果として得られたものとする。その検索のプロセスとしては、まず、患者ＩＤ「１９９９１２１０」で分類される項目を検索し、次にその分類の中の文字種ＩＤ「ＩＳＯ＿ＩＲ＿６」を見に行き、該当する患者名「Ｙａｍａｄａ＾Ｔａｒｏ」を取得するのである。
【００４２】
その後、検索結果としての医療情報は、通信手段１１によってクライアント端末２ａへ送信される（Ｓ７）。サーバ１から送信された検索結果は、クライアント端末２ａの通信手段２１によって受信され、当該検索結果としての医療情報を表示する（Ｓ８）等、データ処理手段２３によって処理される。
【００４３】
さらに、該当する医療情報（本実施形態では患者名）を他の装置に送信する場合（Ｓ９−Ｙｅｓ）には、送信文字種選択手段２４によって文字種が選択される（Ｓ１０）。
【００４４】
選択する文字種は、受信したオリジナルデータのままか、データ処理手段２３が処理した文字種のどちらかを選択でき、どちらを選択するかは設定により医療情報の項目毎に予め決めておいても良いし、その場でユーザに選択させるようにすることもできる。
【００４５】
本実施形態では、受信したオリジナルデータ「ヤマダ＾タロウ（半角カナ）」が選択されたものとする。
【００４６】
通信手段１１は、該当する医療情報（本実施形態では患者名）を、送信文字種選択手段２４によって選択された文字種（本実施形態では半角カナ）で、クライアント端末２ｂに送信する（Ｓ１１）。
【００４７】
以降、医療情報は、複数のクライアント端末２ａ，２ｂ間でやり取りされるが、サーバ１は複数のクライアント端末２ａ，２ｂからの要求に１台で応えられるようになっているものとする。
【００４８】
半角カナの文字種が選択された医療情報を受信（Ｓ１２）したクライアント端末２ｂは、ユーザが処理文字種選択手段２２を用いることによって文字種が選択される（Ｓ１３）。
【００４９】
この場合においても、選択する文字種は設定により医療情報の項目毎に予め決めておいても良いし、処理可能な文字種の中から任意の文字種をユーザに選択させるようにしてもよい。
【００５０】
本実施形態では、受信した医療情報「ヤマダ＾タロウ（半角カナ）」に対し、文字種として「漢字」が選択されたものとする。
【００５１】
すなわち、受信した医療情報（半角カナ）に漢字が含まれていないことから、クライアント端末２ｂの通信手段２１は、必要なキーワード（本実施形態では、患者を一意に識別する医療情報識別子としての患者ＩＤ「１９９９１２１０」）と、文字種を表す識別子（本実施形態では、漢字を識別する文字種ＩＤ「ＩＳＯ＿２０２２＿ＩＲ＿８７＿ＫＮ」）を検索条件として、サーバ１に医療情報の検索要求を送信する（Ｓ１４）。
【００５２】
クライアント端末２ｂから送られた検索要求は、サーバ１の通信手段１１によって受信され（Ｓ１５）、当該要求に含まれた検索条件（本実施形態では患者ＩＤ「１９９９１２１０」及び文字種ＩＤ「ＩＳＯ＿２０２２＿ＩＲ＿８７＿ＫＮ」）がデータ検索手段１２へ伝えられる。
【００５３】
データ検索手段１２は、与えられた検索条件を元にデータ管理手段１３によって管理されるデータベース１４を検索する（Ｓ１６）。本実施形態では、患者名データ「山田＾太郎（漢字）」が検索結果として得られたものとする。その検索のプロセスとしては、まず、患者ＩＤ「１９９９１２１０」で分類される項目を検索し、次にその分類の中の文字種ＩＤ「ＩＳＯ＿２０２２＿ＩＲ＿８７＿ＫＮ」を見に行き、該当する患者名「山田＾太郎」を取得するのである。
【００５４】
その後、検索結果としての医療情報は、通信手段１１によってクライアント端末２ｂへ送信される（Ｓ１７）。サーバ１から送信された検索結果は、クライアント端末２ｂの通信手段２１によって受信され、当該検索結果としての医療情報を表示する（Ｓ１８）等、データ処理手段２３によって処理される。
【００５５】
このようにして、複数のクライアント端末２間で医療情報を送受信する際、受信した医療情報が、当該クライアント端末２で認識できない文字種であった場合に、受信した医療情報の医療情報識別子と、当該クライアント端末２で認識できる文字種（文字種識別子）とをサーバ１に送信し、当該クライアント端末２で認識可能な医療情報をサーバ１から受信するようにしたので、受信した医療情報が正しく処理できない、又は、ユーザの好みの文字種で表示されない、といった問題を解決することができる。特に、本発明では、当該問題を解決するにあたり、文字種毎に対応するデータベースを複数設ける構成としていないので、コスト低減を実現することができる。
【００５６】
（第２の実施形態）
図３は、本発明に係る文字情報照会システムの第２の実施形態の構成を示すブロック図である。また、図４は、本発明に係る文字情報照会方法の第２の実施形態における動作を示すフローチャートである。本実施形態は、上述の実施形態のように、クライアント端末２からの要求に応じてサーバ１が文字種の変換を行うのではなく、医療情報を送受信するクライアント端末２間に介在するゲートウェイ装置を備えた構成としている。
【００５７】
図３に示すように、本実施形態では、漢字データを扱うことのできる漢字対応機器３（例えば、ＲＩＳ３）と、漢字データを扱うことのできない漢字非対応機器４（例えば、画像検査装置４）との間で、検査部位に関する情報をやり取りする場面を想定する。
【００５８】
サーバ１のデータベース１４には、検査部位を識別するコードと、それに対する文字データである部位名称がＡＳＣＩＩ文字と漢字でそれぞれ登録されているものとする。
【００５９】
漢字対応機器３から依頼検査部位情報を漢字非対応機器４に送信する場合、漢字対応機器３の画面上では依頼検査部位「胸部」が漢字で正しく表示されるが、当該文字データ（医療情報）をそのまま漢字非対応機器４に送信しても、漢字非対応機器４の画面上では漢字が表示できない。
【００６０】
そこで、漢字非対応機器４に直接送信せずに、文字情報照会クライアントゲートウェイ１００（以下、ゲートウェイ１００）を介して送信する。以下、データの流れについて図３及び図４を参照して説明する。ここで、ゲートウェイ１００は、クライアント端末２と同様の端末である。
【００６１】
図３及び図４に示すように、まず、検査部位「胸部」と、それを一意に識別する部位コード「２５１２００」が、漢字対応機器３からゲートウェイ１００に送信される（Ｓ２１）。この「部位コード」が本発明における医療情報識別子に該当し、「検査部位」が医療情報に該当する。
【００６２】
ゲートウェイ１００のＣＰＵ１０１は、これらの情報を受信したことを契機に、当該情報のヘッダを参照して宛先（すなわち、漢字非対応機器４）を特定すると共に、ゲートウェイ１００のデータベース１０２に格納されている「文字種変換テーブル」を参照して、漢字非対応機器４へ送信するデータの文字種はＡＳＣＩＩであると判断する（Ｓ２２）。ここで、前記ヘッダは、データの先頭に付加されるデータ自体に関する情報である。例えば、データがパケットという単位に分割されて送受信された場合、当該パケットの先頭には送信元や送信先、パケットの大きさなど、パケット自体に関する情報が付加される。このパケットの先頭に付加される情報がヘッダである。
【００６３】
その後、このようにして特定された部位コード「２５１２００」とＡＳＣＩＩ文字の文字種ＩＤ「ＩＳＯ＿ＩＲ＿６」とをキーとしてサーバ１に検索要求を送信する（Ｓ２３）。
【００６４】
ここで、前記文字変換ルールとは、ゲートウェイ１００に接続された各クライアント端末２の識別情報と、各クライアント端末２が認識する文字種とを関連付けたテーブルであり、データベース１０２に予めユーザによって入力される情報である。
【００６５】
なお、漢字対応機器３からゲートウェイ１００に送信される情報としては、「医療情報識別子」である「部位コード」のみでよいが、送信元のクライアント端末２（漢字対応機器３及び漢字非対応機器４を含む）が「文字種変換テーブル」に含まれていない場合もあるので、そのテーブル情報としての情報量を充実させるために、「部位コード」と共に「検査部位」又は「文字種ＩＤ」が送信されることが好ましい。
【００６６】
サーバ１は、検索要求を受信すると、与えられたキーから検査部位名称「ＣＨＥＳＴ」を検索し、検索結果としての医療情報をゲートウェイ１００に送信する（Ｓ２４）。
【００６７】
ゲートウェイ１００は、検索結果として受信した医療情報を本来の受け取り先である漢字非対応機器４へ送信する（Ｓ２５）。
【００６８】
漢字非対応機器４は、ＡＳＣＩＩ文字で表記された検査部位「ＣＨＥＳＴ」を正しく表示することができる（Ｓ２６）。
【００６９】
さらに、漢字非対応機器４から漢字対応機器３へ検査部位としての医療情報を送信する場合には、ＡＳＣＩＩ文字で表記された検査部位「ＣＨＥＳＴ＆ＡＢＤＯＭＥＮ」を漢字対応機器３に直接送信せずに、ゲートウェイ１００を介して送信する。
【００７０】
すなわち、検査部位「ＣＨＥＳＴ＆ＡＢＤＯＭＥＮ」とそれを一意に識別する部位コード「３０１６１２」が、漢字非対応機器４からゲートウェイ１００に送信される（Ｓ２７）。
【００７１】
ゲートウェイ１００のＣＰＵ１０１は、これらの情報を受信したことを契機に、当該情報のヘッダを参照して宛先（漢字対応機器３）を特定すると共に、データベース１０２に予め格納されている「文字種変換テーブル」により、漢字対応機器３へ送信するデータの文字種は漢字であると判断する（Ｓ２８）。
【００７２】
その後、このようにして特定された部位コード「３０１６１２」と漢字の文字種ＩＤ「ＩＳＯ＿２０２２＿ＩＲ＿８７＿ＫＮ」とをキーとしてサーバ１に検索要求を送信する（Ｓ２９）。
【００７３】
サーバ１は、検索要求を受信すると、与えられたキーから検査部位名称「胸腹部」を検索し、検索結果としてゲートウェイ１００に送信する（Ｓ３０）。
【００７４】
ゲートウェイ１００は、検索結果として受信した医療情報を本来の受け取り先である漢字対応機器３へ送信する（Ｓ３１）。漢字対応機器３は、実施検査部位「胸腹部」を漢字で表示することができる（Ｓ３２）。
【００７５】
本実施形態では、サーバ１とゲートウェイ装置１００とを別体としたが、ゲートウェイ装置１００の機能をサーバ１が備えてもよい。具体的には、ゲートウェイ装置１００のＣＰＵ１０１の機能をサーバ１のＣＰＵ１０が担い、データベース１０２に記憶された文字種変換テーブルがデータベース１４に記憶されてもよい。
【００７６】
上述の各実施形態は、本発明の一例であり、本発明は各実施の形態に限定されることはない。上述の各実施の形態では、文字データとしてそれぞれ「患者名」「検査部位名称」を例にとって説明したが、本発明の適用範囲はこれらに限るものではなく、あらゆる文字データに適用でき、本発明によって得られる効果と同様な効果を得ることができる。また、この他であっても、本発明に係る技術的思想を逸脱しない範囲であれば、設計等に応じて種々の変更が可能である。
【図面の簡単な説明】
【００７７】
【図１】本発明に係る文字情報照会システムの第１の実施形態における構成を示すブロック図。
【図２】本発明に係る文字情報照会方法の第１の実施形態におけるサーバとクライアント端末とのデータのやり取りを示すフローチャート。
【図３】本発明に係る文字情報照会システムの第２の実施形態における構成を示すブロック図。
【図４】本発明に係る文字情報照会方法の第２の実施形態におけるゲートウェイ装置とクライアント端末とのデータのやり取りを示すフローチャート。
【符号の説明】
【００７８】
１  文字情報管理サーバ
２  クライアント端末
３  漢字対応機器
４  漢字非対応機器
５  ネットワーク
１０  ＣＰＵ
１１  通信手段
１２  データ検索手段
１３  データ管理手段
１４  データベース
１５  データ入力手段
２１  通信手段
２２  処理文字種選択手段
２３  データ処理手段
２４  送信文字種選択手段
２５  判定手段
１００  ゲートウェイ装置
１０１  ＣＰＵ
１０２  データベース
【図１】
2006004192.tif 000003
【図２】
2006004192.tif 000004
【図３】
2006004192.tif 000005
【図４】
2006004192.tif 000006